(57)【要約】【課題】  各種長半減期の放射性廃棄物を簡易な方法で、放射能の低減処理により、健康に影響のないレベルまで放射能を低減する方法を提供する。【解決手段】長半減期の放射性廃棄物を水の存在下、不飽和脂肪酸乃至トール脂肪酸の金属塩と反応させて、常温で放射性廃棄物の放射能を低減させる。【選択図】なし【特許請求の範囲】
【請求項１】
長半減期の放射性物質を水の存在下、不飽和脂肪酸乃至不飽和脂肪酸の金属塩と反応させることを特徴とする放射能物質の放射能を低減させる方法である。
【請求項２】
長半減期の放射性物質を水の存在下、植物油乃至動物油から得られる不飽和脂肪酸乃至不飽和脂肪酸の金属塩と反応させることを特徴とする放射性物質の放射能を低減させる方法である。
【請求項３】
植物油から得られる不飽和脂肪酸がトール脂肪酸乃至トール脂肪酸の金属塩であることを特徴とする請求項２の方法である。
【請求項４】
長半減期の放射性物質がセシウム−１３７であることを特徴とする請求項１乃至３の放射能を低減させる方法である。
【発明の詳細な説明】
【技術分野】
【０００１】  本発明は、土壌・水等に含まれる長半減期の放射性廃棄物を簡易な方法で健康に影響のないレベルまで放射能の低減方法に関する。
【背景技術】
【０００２】  東京電力福島第一原子力発電所から放出され周辺の地表に沈着した長半減期のセシウム−１３７等の放射性物質による土壌汚染は現在極めて深刻な状況にあり、福島県内のいくつかの市町村の多くの住民が長期に渡り避難を余儀なくされている。【０００３】  年間２０ミリシーベルト以上の放射性物質による被爆地域面積は約５００ｋｍ２で、その領域で深さ５ｃｍまでの汚染土壌の洗浄による除洗も検討されているが、多大な手間と費用が発生し、現在、実現することが極めて困難な状況にある。【０００４】  従来、長寿命の放射性物質を半減期の短い短寿命の放射性物質に変える処理をするために、例えば、中性子発生設備を用いて、半減期１．５７×１０７年のヨウ素−１２９を半減期１２．３４時間のヨウ素−１３０に変換する方法（特許文献１）もあるが、ヨウ素−１２９を濃縮するための前処理に多大の手間が掛かり、処理設備も大掛かりで、処理時間も長く、多大なエネルギーを必要とするため、この技術を適用することは現実的でない。
【特許文献】
【０００５】
【特許文献１】特開平３−１９６３９１号
【発明の概要】
【発明が解決しようとする課題】
【０００６】  本発明の目的は、上記のような放射能汚染地域の汚染土壌に対して、手間を掛けず簡易な方法により、人間が居住し、農業が出来る健康に影響しないレベルまで放射能を低減させることである。
【課題を解決するための手段】
【０００７】  以上の課題を解決するために、先ず第１の発明は、長半減期の放射性物質を水の存在下、不飽和脂肪酸乃至不飽和脂肪酸の金属塩と反応させることを特徴とする放射能物質の放射能を低減させる方法である。【０００８】  また、第２の発明は、長半減期の放射性物質を水の存在下、植物油乃至動物油から得られる不飽和脂肪酸乃至不飽和脂肪酸の金属塩と反応させることを特徴とする放射性物質の放射能を低減させる方法である。【０００９】  また、第３の発明は、植物油から得られる不飽和脂肪酸がトール脂肪酸乃至トール脂肪酸の金属塩であることを特徴とする請求項２の方法である。【００１０】  また、第４の発明は、長半減期の放射性物質がセシウム−１３７であることを特徴とする請求項１乃至３の放射能を低減させる方法である。【００１１】  本発明において、長半減期の放射性廃棄物とは、ウラン核燃料が燃焼（核分裂）して、その燃料のなかに生成された長寿命の核分裂生成物が選ばれる。代表例としては、アルファ線を放出するマイナーアクチノイド（ネプツニウム、アメリシウス、キュウム等）やガンマ線を放出する核分裂生成物（テクネチウム−９９、ヨウ素−１２９、ストロンチウム−９０、セシウにム−１３７等）がある。【００１２】  本発明において、不飽和脂肪酸とは、連鎖状の炭化水素基の炭素同士が二重結合して、飽和結合の状態にない炭素を有する脂肪酸のことをいう。炭素の二重結合が１つのものを一価不飽和脂肪酸、２つ以上あるものを多価不飽和脂肪酸という。一価不飽和脂肪酸の代表的なものは、採種油やオリーブ油やほとんどの動物性油に含まれるオレイン酸であり、多価不飽和脂肪酸の代表的なものは、大豆油など多くの植物油に含まれるリノール酸（二価）、魚油、アマニ油などの乾性油に含まれるリノレン酸（三価）、松の実などに含まれるピノレン酸（三価）、イワシ油、ニシン油などに含まれるステアリドン酸（四価）、魚油に含まれるエイコサペンタエン酸（五価）やドコサヘキサエン酸（六価）がある。また、各種の動物油や植物油は、多種の脂肪酸が含まれており、不飽和脂肪酸と飽和脂肪酸の両方が含まれる場合もあるが、飽和脂肪酸に一部含まれていても問題ない。尚、本発明のトール脂肪酸は、オレイン酸とリノール酸を主成分とする。【００１３】  これらの不飽和脂肪酸は、そのまま酸の形態で用いても良いが、そのアルカリ金属塩、アルカリ土類金属塩でも良い。これらの中でも、水溶性の金属塩が好ましい。例えば、上記不飽和脂肪酸のナトリウム塩、カリウム塩、マグネシウム塩が挙げられる。【００１４】  不飽和脂肪酸及びその金属塩は、一種単独で用いても良いし、２種以上混合してもよい。【００１５】  不飽和脂肪酸の連鎖の炭化水素のうち、二重結合の隣のメチレン基及び２つの二重結合に挟まれたメチレン基は活性メチレン基と呼ばれ、光、熱、放射線のエネルギーで容易に水素ラジカル（活性水素）を遊離するので好ましい。特に、２つの二重結合に挟まれた活性メチレン基を持つ不飽和脂肪酸及びその金属塩は、反応性が高いので特に好ましい。【００１６】  水溶液中の活性水素の分析は、電子スピン共鳴（ＥＳＲ）や、ラジカルとラップ剤との反応により着色生成物の吸光度を利用する方法、例えば登録���許３６５７５３５号等の公知の方法で測定することができる。【００１７】  本発明による、長半減期の放射性物質の放射能低減のメカニズムは定かでないが、例えば、セシウム−１３７がバリウム−１３８への変換のように、水素ラジカル（活性水素）により、陽子数が一つ多い安定同位体に核変換が起こったためと思われる。
例えば、土壌中に存在するセシウムイオンは疎水性であり、水中ではセシウムイオンは水分子との結合力が弱いため水に溶解しない。従ってそのセシウムイオンを不飽和脂肪酸乃至不飽和脂肪酸の金属塩の疎水性基部分と結合させ、不飽和脂肪酸乃至不飽和脂肪酸の金属塩の親水性基を外に向けて取り囲み水中でミセル構造をつくる。
セシウム−１３７からの放射能照射により、ミセル内で不飽和脂肪酸乃至不飽和脂肪酸の金属塩に水素ラジカルが発生し、セシウムイオンに発生した水素ラジカルが吸蔵される。やがて吸蔵された水素ラジカルとセシウム−１３７によってミセル内でバリウム−１３８に核変換が起こったためと推定される。
【発明の効果】
【００１８】  本発明により、簡易な方法で長寿命（長半減期）の放射性廃棄物の放射能を短期間に低減させることができる。
上記放射性廃棄物の低減処理に使用される材料（薬剤）も汎用品であり、安全性が高く取扱いも容易である。
上記反応は、特殊な装置も不要で、室温というマイルドな条件で反応が進行するため、広範囲な放射能汚染土壌の処理であっても、容易に実施できる。
また、不飽和脂肪酸乃至不飽和脂肪酸の金属塩の水溶液により、水に不溶な放射性物質を選択的に土壌から抽出することができ、土壌から放射能物質を容易に排除することも可能である。
【発明を実施するための形態】
【００１９】  以下、実施態様を具体的に説明するが、本発明はこの実施形態によって何ら限定されるものでない。また、放射能の線量の測定は、Ｇｅ半導体測定装置を使用した。
また、測定方法は、平成４年  科学技術庁  放射能測定法シリーズ７  「ゲルマニウム半導体検出器によるガンマ線スペクトロメトリー」に準拠した。
【実施例１】
【００２０】  内容積２Ｌのポリエチレン製の長方形の蓋付容器を３個（Ａ，Ｂ、Ｃ）用意してそれぞれに福島県で採取した汚染土を１ｋｇ（含水率３０％）入れた。それぞれを試料Ａ，試料Ｂ、試料Ｃとする。試料Ａ，試料Ｂは未処理のまま、試料Ｃの汚染土には７８０ｍｇ／Ｌの濃度のトール脂肪酸ナトリウム塩の水溶液を１００ｍＬ添加して良くかき混ぜた後（試料Ｃの含水率は３７％になった。）、それぞれＡ，Ｂ，Ｃの容器に蓋をして、２週間室温で放置した。
その後、上記汚染土の入ったポリエチレンの容器Ａ，Ｂ，Ｃに蓋をしたままＧｅ半導体測定値で放射能量を測定した。試料Ａは、原体のＣｓ−１３４測定値が６２０００Ｂｑ／ｋｇ（乾物換算値：８９０００Ｂｑ／ｋｇ）、原体のＣｓ−１３７測定値が７５０００Ｂｑ／ｋｇ（乾物換算値：１０８０００Ｂｑ／ｋｇ）であった。同様に試料Ｂは、原体のＣｓ−１３４測定値が６４０００Ｂｑ／ｋｇ（乾物換算値：９１２００Ｂｑ／ｋｇ）、原体のＣｓ−１３７測定値が７５０００Ｂｑ／ｋｇ（乾物換算値：１０７０００Ｂｑ／ｋｇ）であった。また、同様に試料Ｃは、原体のＣｓ−１３４測定値が３５０００Ｂｑ／ｋｇ（乾物換算値：５５６００Ｂｑ／ｋｇ）、原体のＣｓ−１３７測定値が４２０００Ｂｑ／ｋｇ（乾物換算値：６６７００Ｂｑ／ｋｇ）であった。なお、原体とは試料（汚染土）を含水したままのものであり、乾物換算値とは、原体の測定値を含水率により補正した値を示す。
上記の結果から乾物換算値で試料Ｃの放射能量の低減率（１−本発明実施例１の処理放射能量／未処理の放射能量）はそれぞれ、Ｃｓ−１３４は３８％、Ｃｓ−１３７は３８％であった。
【産業上の利用可能性】
【００２１】  本発明は、長半減期の放射性廃棄物を水の存在下、不飽和脂肪酸乃至不飽和脂肪酸の金属塩と反応させることにより、常温で放射能を低減させる簡易な方法を提供するものである。